【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】(a) 10〜70モル％のエチレン(E)、
(b) テトラフルオロエチレン(TFE)、クロロトリフルオロエチレン(CTFE)又はその混合物から選択される、30〜90モル％のフッ素化モノマー、
(c) モノマー(a)及び(b)の全量に対して0.1〜30モル％の式：  CH2=CH-CO-O-R2 (I)
[式中、R2 は、直鎖及び/又は分枝鎖のアルキル基C1-C20、もしくは炭素原子が３〜20のシクロアルキル、又はR2 はHであり；R2基は、Cl、O及びNから選択されるヘテロ原子；OH、COOH、エポキシド、エステル及びエーテルから選択される１以上の官能基；及び二重結合を任意に含むことができる]の１以上のアクリルモノマー
で形成されるポリマーのポリマー混合物Aからなり、
ポリマー混合物Aは、ASTM D1708による23℃の弾性率が、モノマー(a)、(b)及び(c)で形成され且つ式(I)のコモノマーの含量が実質的に等しいポリマー画分を有するポリマーの弾性率の少なくとも10％より低くなるように、式(I)のコモノマー含量が異なるポリマー画分を含むことを特徴とする組成物。
【請求項２】ポリマー混合物Aがブレンドにより得られる請求項１による組成物。
【請求項３】ブレンドが、コポリマーA2において、式(I)のコモノマー量がコポリマーA1における式(I)のコモノマーの少なくとも1.5倍量で、コポリマーA1/A2の重量比が1/9〜9/1であることを特徴とするモノマー(a)、(b)及び(c)からなる少なくとも２つのポリマーA1及びA2を混合して得られる請求項２による組成物。
【請求項４】コポリマーA2において式(I)のコモノマー量が、コポリマーA1における式(I)のコモノマーの少なくとも1.75倍量であり、コポリマーA1/A2の重量比が1/4〜4/1であることを特徴とする請求項３による組成物。
【請求項５】コポリマーA2における式(I)のコモノマー量が、コポリマーA1における式(I)のコモノマーの少なくとも２倍量であり、コポリマーA1/A2の重量比が3/7〜7/3であることを特徴とする請求項４による組成物。
【請求項６】ブレンドが、共重合又は物理的混合によって得られる請求項２〜５のいずれか１項による組成物。
【請求項７】式(I)のアクリルモノマーが、エチルアクリレート、n-ブチルアクリレート、アクリル酸、ヒドロキシエチルアクリレート、ヒドロキシプロピルアクリレート、(ヒドロキシ)エチルヘキシルアクリレートから選択される請求項１〜６のいずれか１項による組成物。
【請求項８】式(I)のモノマーがn-ブチルアクリレートであることを特徴とする請求項７による組成物。
【請求項９】フッ素化モノマー(b)がクロロトリフルオロエチレン(CTFE)である請求項１〜８のいずれか１項による組成物。
【請求項１０】50％に等しいエチレンの転化範囲で、全量の少なくとも75重量％の式(I)のコモノマーを加える重合で直接得られる、請求項１〜９のいずれか１項によるポリマー混合物Aのラジカル経路による合成方法。
【請求項１１】30％に等しいエチレンの転化範囲で、全量の少なくとも50重量％のコモノマー(I)を加える請求項１０による方法。
【請求項１２】エチレンの80％が転化した後、全量の７重量％未満の式(I)のコモノマーを加える請求項１０又は１１による方法。
【請求項１３】エチレンの90％の転化の後、全量の７重量％未満の式(I)のコモノマーを加える請求項１０又は１１による方法。
【請求項１４】共重合が、-60〜150℃の温度範囲かつ0.5〜100バールの範囲の圧で、有機媒体の懸濁液中、水の存在もしくは不在下、又は水性エマルジョン中で行われる請求項１０〜１３のいずれか１項による方法。
【請求項１５】ラジカル経路による重合が、
(i)式(Rf-CO-O)2 [式中、Rfは(パー)ハロアルキルC1-C10又はパーフルオロポリオキシアルキレン基]のビス-アシルパーオキシド；
(ii)式(RH-O)2 [式中、RHはアルキルC1-C10]のジアルキルパーオキシド；
(iii)水溶性無機パーオキシド；
(iv)ジアルキルパーオキシジカーボネート(アルキルは１〜８個の炭素原子を有する)；
(v)有機又は無機のレドックス系、
から選択されるラジカル開始剤を用いる請求項１０〜１４のいずれか１項による方法。
【請求項１６】ラジカル開始剤が、ビス-トリクロロアセチルパーオキシド、ビス-ジクロロフルオロアセチルパーオキシド；ジターブチルパーオキシド(DTBP)；ナトリウム及びカリウムの過硫酸塩；ジ-n-プロピル-パーオキシジカーボネート、ジ-イソプロピル-パーオキシジカーボネート；アンモニウム過硫酸塩/亜硫酸ナトリウム、過酸化水素/アミノイミノメタンスルフィン酸、ターブチルヒドロパーオキシド/メタビスルファイトから選択される請求項１５による方法。
【請求項１７】ポリマー混合物Aの分子量調節に、連鎖移動剤を加える請求項１０〜１６のいずれか１項による方法。
【請求項１８】重合が、１以上のフッ素化界面活性剤の存在下で水性エマルジョン中で行われる請求項１０〜１７のいずれか１項による方法。
【請求項１９】分散剤、エマルジョン又はパーフルオロポリオキシアルキレンのマイクロエマルジョン、又は水素化末端基及び/又は水素化反復単位を有するフルオロポリオキシアルキレンのマイクロエマルジョンの存在下である請求項１８による方法。
【請求項２０】少なくとも99モル％のクロロトリフルオロエチレンを含有し、100までの残余は１以上のアクリルモノマー又はフッ素化モノマーの、クロロトリフルオロエチレンの半結晶性(コ)ポリマー(PCTFE)及び水の存在下での有機懸濁液における請求項１０〜１７のいずれか１項による方法。
【請求項２１】フッ素化モノマーが、(パー)フルオロアルキルビニルエーテル、(パー)フルオロジオキソールから選択される請求項２０による方法。
【請求項２２】PCTFEの凝固剤の存在下で、PCTFEを粉末又はラテックス形態で加えることを特徴とする請求項２０又は２１による方法。
【請求項２３】凝固剤が、硫酸アルミニウム、硝酸、塩酸、塩化カルシウムから選択される請求項２２による方法。
【請求項２４】凝固剤が、塩化カルシウムである請求項２３による方法。
【請求項２５】ラテックス形態でのPCTFEの添加が、ポリマー混合物Aの合成初期及び/又はそのあいだである請求項２０〜２４のいずれか１項による方法。
【請求項２６】PCTFEを式(I)のコモノマーの供給中に加える請求項２５による方法。
【請求項２７】PCTFEの供給が、式(I)のコモノマーの供給量に正比例する請求項２６による方法。
【請求項２８】反応媒体が、水、及びモノマー自体もしくは炭素原子が６〜25個でメチル基と炭素原子数の比が0.5より高い炭化水素の分枝鎖、クロロフルオロカーボン、-CF2H、-CF2CF2H、-CF(CF3)H型の水素化末端基を少なくとも１つ有する (パー)フルオロポリエーテルから選択される有機溶媒に溶解したモノマーで構成される有機相により形成される請求項２０〜２７のいずれか１項による方法。
【請求項２９】PCTFE が、ASTM D 1238-88法による265℃かつ10kgの負荷で測定されるメルトフローインデックス(MFI)が10.0g/10'より低いCTFEホモポリマーである請求項２０〜２８のいずれか１項による方法。
【請求項３０】PCTFE １〜75重量％及びポリマー混合物A 25〜99重量％からなる請求項２０〜２９のいずれか１項の方法により得られる組成物。
【請求項３１】ポリマー混合物Aが、70〜95重量％の範囲である請求項３０による組成物。
【請求項３２】ワイヤー及びケーブル用のジャケットの製造のための請求項１〜９及び３０〜３１のいずれか１項による組成物の使用。
【請求項３３】プレート、パイプ及び製品を製造するための請求項１〜９及び請求項３０〜３１のいずれか１項による組成物の使用。
【請求項３４】請求項１〜９及び請求項３０〜３１のいずれか１項による組成物を使用することにより得ることができるワイヤー、ケーブル、プレート、パイプ及び製品。